【事件の表示】
　上記当事者間の特許第２８８９５３８号発明「建具用ランナー」の特許無効審判事件について、次のとおり審決する。
【結　論】
　訂正を認める。
　特許第２８８９５３８号の請求項１に記載された発明についての特許を無効とする。
　審判費用は、被請求人の負担とする。
【理　由】
第１．手続の経緯 
　本件特許第２８８９５３８号は、平成８年８月２９日に出願され、平成１１年２月１９日に特許権の設定登録がなされ、平成１１年６月１８日に特許異議の申立がなされ、平成１２年７月１７日に訂正請求がなされ、同年８月２２日に当該訂正請求が認められるとともに、当該異議の申立が却下されたものである。
　これに対して、平成２１年２月５日に請求人（大安金属株式会社）よりその請求項１に係る発明について特許無効審判が請求され、これに対して、同年４月２７日に被請求人（アトムリビングテック株式会社外１名）より答弁書及び訂正請求書が提出され、これに対して、同年６月９日に請求人より弁駁書が提出されるとともに、同年８月１３日及び８月１９日に請求人より口頭審理陳述要領書及び第２口頭審理陳述要領書が、同年８月２７日に被請求人より口頭審理陳述要領書及び第２口頭審理陳述要領書がそれぞれ提出され、同日に第１回口頭審理が行われた。
　
第２．訂正の請求について 
１．訂正の請求の内容 
　被請求人の平成２１年４月２７日付けの訂正請求は、本件特許明細書の特許請求の範囲の請求項１を訂正請求書に添付した特許請求の範囲の請求項１のとおりに訂正すること（以下「本件訂正」という。）を求めるものであり、その内容は以下のとおりである。 
　　 
訂正事項
特許第２８８９５３８号の明細書（以下、特許明細書という。）の【特許請求の範囲】【請求項１】である
「レールを走行するランナー部材と、戸板に固定される取付部材と、ランナー部材、取付部材を連結する支軸とが備えられ、取付部材が戸板に固定されるカップ部材と支軸を支持してカップ部材の内部に着脱されるホルダ部材とから分割されてなる建具用ランナーにおいて、
　カップ部材とホルダ部材を係合ロツクするための係合溝と係合突起とからなる係合部の一方がカップ部材に設けられ、係合部の他方がホルダ部材の可動片に設けられ、ホルダ部材の可動片には弾性が付与されているとともに係合部の一方の手前には係合部の他方への案内面が設けられ、可動片を含むホルダ部材の全体が合成樹脂材を素材として一体成形され、可動片の中途部には係合部の他方が設けられるとともに自由端には指先を掛けることのできる操作部が形成されていることを特徴とする建具用ランナー。」を、
　
「レールを走行するランナー部材と、戸板に固定される取付部材と、ランナー部材、取付部材を連結する支軸とが備えられ、取付部材が戸板に堀込まれる取付溝に埋込み固定されるカップ部材と支軸を支持してカップ部材の内部に着脱されるホルダ部材とから分割されてなる建具用ランナーにおいて、
　カップ部材とホルダ部材を係合ロツクするための係合溝と係合突起とからなる係合部の一方がカップ部材に設けられ、係合部の他方がホルダ部材の可動片に設けられ、ホルダ部材の可動片には弾性が付与されているとともに係合部の一方の手前には係合部の他方への案内面が設けられ、可動片を含むホルダ部材の全体が合成樹脂材を素材として一体成形され、可動片の中途部には係合部の他方が設けられるとともに自由端には指先を掛けることのできる操作部が形成されていることを特徴とする建具用ランナー。」と訂正する。
　
２．訂正の適否 
（１）請求項１に係る訂正について
　訂正事項は、訂正前の請求項１に記載された発明の発明特定事項である「戸板に固定されるカップ部材」について、「戸板に堀込まれる取付溝に埋込み固定されるカップ部材」と限定するものである。
　上記訂正事項は、訂正前の請求項１に記載された発明のカップ部材の固定状態を限定するものであるから、特許請求の範囲の減縮を目的とするものに該当する。
　そして、上記訂正事項は、本件特許明細書又は図面に記載した事項の範囲内においてするものであって本件特許明細書等のすべての記載を総合することにより導かれる技術的事項との関係において、新たな技術的事項を導入するものではない。 
　また、上記訂正事項は、実質上特許請求の範囲を拡張し、又は変更するものではない。
　
（２）請求項２及び３に係る訂正について
　請求項２及び３は、減縮を目的として訂正された請求項１を引用しているものであり、無効審判の請求がなされていないものであるから、その請求項に係る発明が独立して特許を受けることができるものであるか否かについて検討する。
　本件の請求項２及び３に係る発明は、それぞれ以下のとおりのものである。
　【請求項２】請求項１の建具用ランナーにおいて、ホルダ部材の可動片は相対して１対設けられ、両可動片の操作部は２本の指先で摘む格好となるように配置されていることを特徴とする建具用ランナー。　
　【請求項３】請求項１または２の建具用ランナーにおいて、ホルダ部材の可動片は中途部の係合部の他方よりも自由端の操作部側で屈曲され基端からの長さが長く確保されていることを特徴とする建具用ランナー。
　
ａ）請求項２について
　請求項２の「ホルダ部材の可動片は相対して１対設けられ、両可動片の操作部は２本の指先で摘む格好となるように配置されている」という事項は、請求人が提出した甲第１ないし３号証のいずれの文献にも記載されておらず、また、それらに基づいて当業者が容易になし得たものとも認められない。
　本件の請求項２に係る発明は出願の際、独立して特許を受けることができるものである。
ｂ）請求項３について　
　請求項３の「ホルダ部材の可動片は中途部の係合部の他方よりも自由端の操作部側で屈曲され基端からの長さが長く確保されている」という事項は、請求人が提出した甲第１ないし３号証のいずれの文献にも記載されておらず、また、それらに基づいて当業者が容易になし得たものとも認められない。
　本件の請求項３に係る発明は出願の際、独立して特許を受けることができるものである。
　
　 
３．むすび 
　以上のとおりであるから、本件訂正は、特許法第１３４条の２第１項ただし書き、並びに、同条第５項において準用する同法第１２６条第３項ないし第５項の規定に適合するので、結論のとおり訂正を認める。 
　 
第３．請求人の主張 
　請求人は、本件特許の請求項１に係る発明（以下「本件特許発明１」という。）についての特許を無効とする、審判費用は被請求人の負担とする、との審決を求め、その理由として以下のものをあげ、証拠方法として甲第１号証ないし甲第５号証を提出している。
　
（無効理由１）本件特許発明１は、本件出願日前に頒布された甲１号証に記載された発明と同一である。
（無効理由２）本件特許発明１は、甲第１号証に記載された発明に甲第２号証に記載された発明を適用することで当業者が容易に発明をすることができたものである。
（無効理由３）本件特許発明１は、本件出願日前に頒布された甲２号証に記載された発明と同一である。
（無効理由４）本件特許発明１は、甲第２号証に記載された発明に基づいて当業者が容易に発明をすることができたものである。
（無効理由５）本件特許発明１は、本件出願日日前に頒布された甲第３号証に記載された発明に甲第２号証に記載された周知技術を適用することで当業者が容易に発明をすることができたものである。
　
　これらの各理由は、訂正後の請求項１に係る発明に対しても同様である。
　なお参考図Ｉ〜ＩＩが添付されている。
 
甲第１号証：特開平７−１１８３４号公報
甲第２号証：実公平５−２３７３４号公報
甲第３号証：特開平８−６８２５８号公報
甲第４号証：特許第２８８９５３８号公報（本件特許公報）
甲第５号証：特許第２８８９５３８号訂正公報
　 
第４．被請求人の主張 
　一方、被請求人は、訂正請求をするとともに、本件無効審判の請求は成り立たない、審判費用は請求人の負担とする、との審決を求め、訂正した本件特許の請求項１に係る発明は、甲第１号証又は甲第２号証に記載された発明と同一ではない。また、甲第１号証ないし甲第３号証に記載された発明に基づいて当業者が容易に発明をすることができたものではない。したがって、請求人の主張にはいずれも理由がないと主張し、証拠方法として乙第１号証ないし乙第９号証を提出している。なお、参考図１〜４が添付されている。 
　 
乙第１号証：甲第２号証と同種の被請求人代理人作成の被請求人製品と専用工具の写真
乙第２号証：甲第２号証と同種の被請求人代理人作成の被請求人製品の説明図
乙第３号証：特開平７−９１１３４号公報
乙第４号証：特開２００２−７０４０４号公報
乙第５号証：実願平４−１６１８１号（実開平６−４２８６号）のＣＤ−ＲＯＭ
乙第６号証：特開平１０−１９６２０３号公報
乙第７号証：特開２０００−２９１３２２号公報
乙第８号証：特開平６−３３０６６９号公報
乙第９号証：実願昭６２−１９９２５８号（実開平１−９８８８３号）のマイクロフィルム
　なお、上記乙第５号証及び乙第９号証については、被請求人の提出した書面の記載（平成２１年８月２７日提出の第２口頭審理陳述要領書の「７．証拠方法」の欄参照）と異なるが、添付された証拠に基づき、上記のとおり認定した。
　
第５．本件特許発明 
　本件特許の請求項１に係る発明は、上記のとおり本件訂正が認められたため、訂正請求書に添付された特許請求の範囲の請求項１に記載された事項により特定される、次のとおりのものと認める。 
　 
「レールを走行するランナー部材と、戸板に固定される取付部材と、ランナー部材、取付部材を連結する支軸とが備えられ、取付部材が戸板に堀込まれる取付溝に埋込み固定されるカップ部材と支軸を支持してカップ部材の内部に着脱されるホルダ部材とから分割されてなる建具用ランナーにおいて、
　カップ部材とホルダ部材を係合ロツクするための係合溝と係合突起とからなる係合部の一方がカップ部材に設けられ、係合部の他方がホルダ部材の可動片に設けられ、ホルダ部材の可動片には弾性が付与されているとともに係合部の一方の手前には係合部の他方への案内面が設けられ、可動片を含むホルダ部材の全体が合成樹脂材を素材として一体成形され、可動片の中途部には係合部の他方が設けられるとともに自由端には指先を掛けることのできる操作部が形成されていることを特徴とする建具用ランナー。」（以下「本件訂正発明１」という。）　 
　　 
第６．甲第１号証ないし甲第３号証の記載事項 
　
１．甲第１号証：特開平７−１１８３４号公報
　甲第１号証には、「引き戸等の吊下げ滑動装置」に関する発明が記載されおり、図面とともに以下の記載がある。
（１−１）第２欄第１３〜２０行
「【００１０】図１に示すように、この発明の滑動装置は、滑動部材１と、この滑動部材１を引き戸に取り付けるための保持部材２０より成る。
【００１１】前記滑動部材１は、合成樹脂の一体成形品であって、図１乃至図４に示すように、欠円形のベース２と、このベース２の裏面に一体に形成されかつ欠円形に配置された係止脚３と、ベース２の上端に設けられたガイド４と、このガイド４の中央部に回転自在に取り付けられた一対のローラ５より成る。」
　
２．甲第２号証：実公平５−２３７３４号公報
　甲第２号証には、「吊り戸用ランナー取付具」に関する発明が記載されており、図面とともに以下の記載がある。　　 
（２−１）第２欄第２４行〜第３欄第１行
「この考案は、ランナーの吊り戸への取り付けおよび吊り戸から取り外しのための操作が簡単な吊り戸用ランナー取付具を提供することを目的とする。」 
　　 
（２−２）第３欄第２〜１７行
「課題を解決するための手段
　この考案による吊り戸用ランナー取付具は、吊り戸案内レールに沿つて走行する吊り戸用ランナーを、吊り戸に取り付けるための取付具であつて、吊り戸の上端面に固定されかつ横断面略Ｕ形で両側上端に内方水平突出縁を有する固定枠と、吊り戸用ランナーに下方突出状に保持された吊り棒の下端部に取り付けられかつ吊り棒が両内方水平突出縁間を通るようにして固定枠内に一端開口から嵌め入れられる合成樹脂製係合体からなり、係合体の両端には、固定枠の両端に係合する係合部が設けられ、両係合部のうち少なくとも一方は、先端に向かつて下り勾配のテーパ面を有するとともに、中央の吊り棒保持部と薄肉の弾性部繋がつて下り、弾性変形により固定枠内を通過しうるようになされているものである。」 
　　 
（２−３）第３欄第１８行〜第４欄第４行
「作用
　この考案による吊り戸用ランナー取付具は、・・・ランナーに吊り棒を介して取り付けられた係合体を固定枠に取り付けるには、まず、係合体を固定枠の一端開口、例えば、後端開口から、固定枠内に押し込めばよい。すると、前側の係合部は、先端に向かつて下り勾配のテーパ面の存在により、固定枠内に円滑に入るとともに、係合部に繋がる薄肉の弾性部の弾性によつて撓みながら固定枠内を移動する。そして、前側の係合部が、固定枠内を通過すると、弾性復帰によつてその内端面が内方水平突出縁の前端面に係合する。・・・係合体を固定枠から取り外すには、一方の係合部、たとえば、前側の係合部を押し下げて内方水平突出縁の前端面との係合を解き、係合体を固定枠から後方に引き出すかまたは押し出せばよい。」 
　
（２−４）第４欄第１０〜１４行
「吊り戸用ランナー取付具は、吊り戸１の上端面に固定される金属製固定枠２と、吊り戸用ランナー３に下方突出状に保持された吊り棒４の下端部に取り付けられかつ固定枠２に着脱自在に取り付けられる合成樹脂製係合体５とからなる。」
　
（２−５）第４欄第２０〜２７行
「係合体５は、平面からみて前後方向に長い矩形であり、中央の横断面略Ｕ形の吊り棒保持部９と、先端に向かって下り勾配のテーパ面１０ａを有する両端部の係合部１０と、各係合部１０と吊り棒保持部９との間の薄肉の弾性部１１とからなる。各弾性部１１の両端は、吊り棒保持部９の端面下部および係合部１０の下部にそれぞれ繋がつている。」
　　 
３．甲第３号証：特開平８−６８２５８号公報
　甲第３号証には、「開閉体取付装置」に関する発明が記載されており、図面とともに以下の記載がある。　　 
　
（３−１）第１欄第２８〜３１行
「【０００１】
【産業上の利用分野】本発明は開閉体取付装置に係り、たとえば、家具や建具等の開口部を開閉する折り戸等の開閉体を高さ調整可能に取り付けるものに関する。」 
　
（３−２）第３欄第４３行〜第４欄第９行 
「【００１６】１は家具や建具等の開口部の上端部に沿って配設固定された左右方向の上部ガイドレールで、この上部ガイドレール１は上面板２と、この上面板２の幅方向の両端部から下方に向かって相対して突設された前後の側板３と、この前後の側板３の下端部から相対して互いに近接方向に向かって突設された前後の弧状のローラ支持板４と、この前後のローラ支持板４の相対する内端部間にて形成された案内溝５と、この前後のローラ支持板４の相対する内端部の上方に位置して前記上面板２の下面部に相対して下方に向かって突設された前後の案内突条６とを有して断面略矩形状に形成されている。
【００１７】また、前記上部ガイドレール１には前記上面板２の下面部と前記前後の案内突条６とにより前記案内溝５の上方に位置して上部のローラ収容部７が形成されているとともに、前記前後の側板３と前記前後のローラ支持板４及び前記上面板２の前後部とにより前後のローラ収容部８がそれぞれ形成されている。」
　
（３−３）第４欄第２４行〜第５欄第３５行
「【００２０】つぎに、15は前記開口部を開閉する開閉体としての折り戸の複数の扉体で、この各扉体15の幅方向の両端上部及び両端下部における木口16には上下方向の埋設凹部17がそれぞれ形成されている。そして、前記両端上部の埋設凹部17は略Ｕ字状に形成されているとともに、前記両端下部の埋設凹部17は略逆Ｕ字状に形成されている。なお、前記各扉体15は図示しない複数の蝶番にてそれぞれ開閉自在に連設されている。
【００２１】つぎに、前記各扉体15の両端上部の埋設凹部17には上部ランナーユニット18がそれぞれ埋設固定されているとともに、前記各扉体15の両端下部の埋設凹部17には下部ランナーユニット19がそれぞれ埋設固定されている。
【００２２】前記上部ランナーユニット18は、前記埋設凹部17内に埋設される上下方向のケースホルダー20と、このケースホルダー20に嵌合されるローラケース21と、このローラケース21の上方部に回転自在に軸架された複数のガイドローラ22とを有して構成されている。
【００２３】前記ケースホルダー20は、前記埋設凹部17内の内側壁部に固定する上下方向に細長い固定基板23を有し、この固定基板23の幅方向の両端部から外方に向かって略Ｕ字状に形成された埋設側板24が一体に突設され、この略Ｕ字状の埋設側板24と前記固定基板23とにより前記ローラケース21を嵌合する嵌合凹部25が形成されている。
【００２４】また、前記埋設側板24の相対する側板部24a ，24b 内の上部には前記ローラケース21の嵌合方向の案内突条26が相対して平行に一体に突設されている。また、前記埋設側板24の相対する側板部24a ，24b 内の下部の開口縁部には前記相対する案内突条26と離間しかつ案内突条26と平行にストッパー27が相対して一体に突設されている。前記相対するストッパー27は、それぞれの下面部に案内面27a を有するとともに、それぞれの内端部には前記案内面27a に連続した垂直状の係止面27b を有している。
【００２５】さらに、前記固定基板23の上下部には前記埋設凹部17内の内側壁部に捩じ込む固定ねじ28を挿通する挿通孔29がそれぞれ形成されている。なお、前記相対する側板部24a ，24b の下部には前記ローラケース21の嵌合方向の切欠溝30がそれぞれ形成されている。
【００２６】つぎに、ローラケース21は、前記ケースホルダー20の嵌合凹部25内に嵌合する上下方向のケース本体31を有し、このケース本体31の両側上部には前記ケースホルダー20の相対する案内突条26を係合案内する案内凹部32がローラケース21の嵌合方向にそれぞれ形成されている。また、前記ケース本体31の両側下部には前記案内凹部32と離間して平行に前記相対するストッパー27を挿入する挿入溝33が形成され、この挿入溝33は挿入端部及び両側部を開放して形成されている。
【００２７】また、前記ケース本体31には挿入方向と反対側の外端部には上下方向の基板34が一体に形成され、この基板34の周側縁部には前記略Ｕ字状の埋設側板24の開口縁部24c に当接する当接縁部34a が略Ｕ字状に形成されている。また、前記基板34の下部には前記挿入溝33に連通する矩形状の操作口35が形成されている。
【００２８】また、前記挿入溝33にて形成された前記ケース本体31の下部は、前記基板34に一体で略Ｕ字状の下部ケース部36として形成され、この下部ケース部36の相対する側板部36a ，36b の挿入端部間の上部には水平方向の支軸37が軸架されているとともに、この支軸37の下方に位置して前記相対する側板部36a ，36b の挿入端部間の下部には係止軸38が軸架されている。」 
　　 
（３−４）第５欄第３６行〜第６欄第１７行
「【００２９】また、前記下部ケース部36の上部の支軸37には前記相対する側板部36a ，36b 間に配設されたロックレバー39が上下方向に回動自在に軸支されている。このロックレバー39は、前記ローラケース21の挿入方向の操作片40を有し、この操作片40の幅方向の両側部には相対して略三角形状のレバー片41がそれぞれ一体に突設されている。
【００３０】また、前記相対するレバー片41は上端部に前記相対するストッパー27の案内面27a に沿って摺動する摺動面42がそれぞれ前記ローラケース21の挿入方向と反対方向に向かって次第に後上りに傾斜して形成され、この摺動面42の後端部には下方に向かって垂直状の係止部43がそれぞれ形成されている。
【００３１】また、前記係止部43の下端部より後方に位置して前記操作片40の後端部を延長した操作部44が形成され、この操作部44は前記操作口35内に上下動自在に配設されるようになっている。また、前記相対するレバー片41の挿入端部には前記支軸37を回動自在に挿通した挿通孔45がそれぞれ形成されている。
【００３２】さらに、前記支軸37にはコイルスプリング46が巻回され、このコイルスプリング46の一端部46a が前記操作片40の挿入端部に係止されているとともに、その他端部46b が前記係止軸38に係止されている。そして、前記コイルスプリング46にて前記支軸37を中心として前記ロックレバー39が上方に向かって回動附勢され、その両側部の摺動面42がそれぞれ常時前記挿入溝33内に突出されるようになっているとともに、このロックレバー39の操作部44の途中部は前記基板34から前記操作口35内に突出された前後方向に弾性変形可能な係止突片47の下端部に係止されるようになっている。なお、前記係止突片47と前記係止部43との間には僅かな間隙が形成されている。」 
　
（３−５）第６欄第１８行〜第７欄第１７行
「【００３３】つぎに、前記挿入溝33と前記案内凹部32との間の中間部は前記基板34に一体で前記ケース本体31の中間ケース部48として形成され、この中間ケース部48にはローラケース21の嵌合方向を開口した収容凹部49が形成され、この収容凹部49と前記基板34に開口された操作口50との間には軸受孔51が連通形成されている。
【００３４】また、前記軸受孔51には回転軸52が回転自在に挿通支持され、この回転軸52の内端部には前記収容凹部49内に位置して傘歯車53が一体に形成されているとともに、前記回転軸52の外端部には＋字溝状の回転操作部54が形成され、この回転操作部54は前記操作口50内に回転自在に配設されている。また、前記収容凹部49内の上部には前記傘歯車53に噛合した傘歯車55が定位置で回転自在に軸架され、この傘歯車55は前記収容凹部49内の上部に形成された上下方向の摺動孔49a に摺動自在に嵌合した嵌合突部55a 及び前記摺動孔49a の開口縁部に摺動自在に係合した抜け止め用のストッパー部55b を有している。
【００３５】つぎに、前記案内凹部32にて形成された前記ケース本体31の上部は、前記基板34に一体で上部ケース部56として形成され、この上部ケース部56には上面を開口した多角形状の上下方向の角孔ガイド57が形成されている。また、前記角孔ガイド57内には多角形状の角柱体58が上下動自在に嵌合され、この角柱体58には上下方向の調整杆59の略中間部が固着され、この調整杆59の下部に形成された螺杆部60は前記傘歯車55の中心部に貫通形成された上下方向のねじ孔61に回動により進退自在に螺合されている。
【００３６】そして、前記回転軸52にて前記傘歯車53及びこの傘歯車53に噛合した前記傘歯車55が回動されることにより、この傘歯車55のねじ孔61にて前記調整杆59の螺杆部60が昇降されるとともに、この調整杆59の中間部に固着した前記角柱体58が前記角孔ガイド57に沿って昇降されるようになっている。
【００３７】また、前記調整杆59の上部にはこの調整杆59より大径のストッパー62が固着され、このストッパー62上の調整杆59にはローラホルダー63が水平方向に回動自在に軸架され、このローラホルダー63の上方部に位置して調整杆59の上端部にはローラホルダー63の抜止体64が固着されている。
【００３８】前記ローラホルダー63は、前記上部ガイドレール１内に挿入可能な略矩形状に形成され、その幅方向の両側部には前記調整杆59と直交する方向のローラ支軸65がそれぞれ突設され、この両側部のローラ支軸65には前記上部ガイドレール１の両側部に形成されたローラ収容部８内に収容され、かつ、そのローラ支持板４上に支持される移動用の前記ガイドローラ22がそれぞれ回転自在に軸架され、この両側部のガイドローラ22は前記ローラホルダー63の幅方向の両側部に形成された凹窪部66内に回転自在に配設されている。」
　　 
（３−６）第８欄第３７行〜第９欄第１１行
「【００４８】つぎに、前記実施例の作用を説明する。
【００４９】各扉体15の木口16の上端部に形成された埋設凹部17内に上部ランナーユニット18のケースホルダー20を埋設し、このケースホルダー20の固定基板23に形成された上下の挿通孔29から埋設凹部17の内壁部に固定ねじ28を捩じ込んで埋設凹部17内にケースホルダー20を固定する。
【００５０】また、各扉体15の木口16の下端部に形成された埋設凹部17内に下部ランナーユニット19のケースホルダー20を埋設し、このケースホルダー20の固定基板23に形成された上下の挿通孔29から埋設凹部17の内壁部に固定ねじ28を捩じ込んで埋設凹部17内にケースホルダー20を固定する。
【００５１】また、上部ガイドレール１に上部ランナーユニット18のローラケース21に軸架された各ガイドローラ22及び各規制ローラ68を収容する。すなわち、上部ガイドレール１の両側部のローラ収容部８内に両側部のガイドローラ22を収容してローラ支持板４上に移動自在に係合することにより、上部ガイドレール１の上部のローラ収容部７内に各規制ローラ68の上部が収容されるとともに、上部ガイドレール１の案内溝５内にローラホルダー63の下端部が移動自在に配設される。そして、上部ガイドレール１には上部ランナーユニット18のローラケース21が各ガイドローラ22を介して移動自在に係合されて吊持される。」 
　　 
（３−７）第９欄第２４行〜第１０欄第３５行
「【００５３】つぎに、扉体15の木口16に固定した上部ランナーユニット18のケースホルダー20の嵌合凹部25内に上部ガイドレール１に各ガイドローラ22を係合して吊持した上部ランナーユニット18のローラケース21を挿入すると、このローラケース21に設けたロックレバー39の相対するレバー片41に形成された摺動面42の挿入端部がケースホルダー20の嵌合凹部25に相対して突設したストッパー27の案内面27a に当接される。
【００５４】また、ケースホルダー20の嵌合凹部25内にローラケース21を更に強く挿入すると、このローラケース21のロックレバー39の相対する摺動面42が相対するストッパー27の案内面27a にて押動され、このロックレバー39が支軸37を中心としてコイルスプリング46に抗してローラケース21の挿入溝33から後退する方向の下方に向かって回動されつつ相対するストッパー27の案内面27a に沿って次第に押し込まれる。
【００５５】この際、ケースホルダー20の嵌合凹部25の相対する案内突条26がローラケース21の両側部の案内凹部32に係合され、かつ、ケースホルダー20の相対するストッパー27がローラケース21の挿入溝33に挿入されることにより、この案内突条26と案内凹部32との相互及びストッパー27と挿入溝33との相互による位置決め及び案内作用によってケースホルダー20にローラケース21がスムーズに嵌合される。
【００５６】そして、ケースホルダー20の嵌合凹部25内にローラケース21が深く嵌合されるとともに、このローラケース21のロックレバー39の相対する摺動面42が相対するストッパー27の案内面27a から外れ、このロックレバー39がコイルスプリング46の復帰力によって支軸37を中心として復帰回動され、このロックレバー39の相対する係止部43がケースホルダー20の相対するストッパー27の係止面27b にそれぞれ自動的に係止される。
【００５７】したがって、ケースホルダー20の嵌合凹部25内にローラケース21を深く嵌合されるとともに、このローラケース21はケースホルダー20にロックレバー39にてロックされ、上部ランナーユニット18がワンタッチで連結され、かつ、この上部ランナーユニット18のケースホルダー20を固定した扉体15はローラケース21及びこのローラケース21の各ガイドローラ22にて上部ガイドレール１に沿って移動自在に取付けられ、すなわち、上部ガイドレール１には扉体15の上端部が上部ランナーユニット18にてワンタッチで簡単に取付けられる。
【００５８】　つぎに、上部ランナーユニット18のケースホルダー20の嵌合凹部25内からローラケース21を外す場合には、ローラケース21の操作口35内に突出したロックレバー39の操作部44を係止突片47から離間する方向の下方に向かって押動操作すると、この操作部44にてロックレバー39が支軸37を中心としてコイルスプリング46に抗して下降回動され、このロックレバー39の相対する係止部43がケースホルダー20の相対するストッパー27の係止面27b から外れ、ローラケース21のロックが解除される。
【００５９】そして、ケースホルダー20の嵌合凹部25内からローラケース21を引き抜くか、または、その逆にローラケース21からケースホルダー20を引き抜くことにより、ケースホルダー20の嵌合凹部25内からローラケース21が簡単に外される。また、下部ランナーユニット19のケースホルダー20の嵌合凹部25内からローラケース21を外す場合も、前記上部ランナーユニット18の場合と同様にロックレバー39を操作することにより、ローラケース21のロックが解除され、ケースホルダー20の嵌合凹部25内からローラケース21が簡単に外される。」　　 
　
（３−８）第１１欄第１５〜２０行
「【００６３】このようにして、上部ガイドレール１と下部ガイドレール９との間に上部ランナーユニット18及び下部ランナーユニット19を介して折り戸の各扉体15を簡単に取付けられ、現場での各扉体15の取付け作業を簡単に行うことができ、作業能率を大幅に向上させることができる。」 
　
（３−９）第１３欄第２４〜４０行
「【発明の効果】　請求項１の発明によれば、・・・ケースホルダーの嵌合凹部内にガイドローラを回転自在に軸架したローラケースを嵌合するだけのワンタッチ操作によってケースホルダーにローラケースを確実に固定することができる。したがって、作業性にすぐれた開閉体取付装置を提供することができる。」
　
（３−１０）上記（３−４）の記載を参酌すると、図５からは、ロックレバー３９の中ほどにロックレバーの係止部４３が設けられるとともに、その先端には上下動自在に配設された操作部４４が形成されているようすが見て取れる。
　
　 
第７．無効理由についての判断（無効理由５について） 
１．引用発明の認定（甲第３号証に記載された発明） 
　上記記載事項（３−１）〜（３−１０）及び図１〜図１０の記載からみて、甲第３号証には、
「ガイドレールを移動自在なローラーホルダーと、扉体の上部木口に形成されている埋設凹部内に埋設されるケースホルダー及びケースホルダーに嵌合するローラーケースと、ローラホルダーに回動自在に軸架されるとともにローラーケースに設けた傘歯車に進退自在に螺合する調整杆とを有する開閉体取付装置であって、
ケースホルダーとローラーケースを係止するためのストッパーに設けた垂直状の係止面とロックレバーの係止部とからなる係合部を有し、ストッパーをケースホルダーに設け、ロックレバーをローラーケースに回動自在に軸支し、ロックレバーは回動附勢されているとともにストッパーの係止面の手前にはロックレバーの案内面が設けられ、ロックレバーの中ほどにロックレバーの係止部が設けられるとともに、その先端には上下自在に配設された操作部が形成されている開閉体取付装置。」 
が記載されているものと認められる（以下「引用発明」という）。 
　　 
２．本件訂正発明１について 
（１）対比 
　本件訂正発明１と引用発明を対比すると、引用発明の「ガイドレール」、「移動自在」、「ローラーホルダー」、「扉体」、「ケースホルダー」、「ローラーケース」、「係止」、「ロックレバー」、「回動附勢され」、「ストッパーに設けた垂直状の係止面」、「ロックレバーの係止部」、「ストッパーの案内面」及び「開閉体取付装置」は、それぞれ、本件訂正発明１の「レール」、「走行」、「ランナー部材」、「戸板」、「カップ部材」、「ホルダ部材」、「係合ロック」、「可動片」、「弾性が付与され」、「係合溝（係合部の一方）」、「係合突起（係合部の他方）」、「案内面」及び「建具用ランナー」に相当する。 
　また、引用発明の「扉体の上部木口に形成されている埋設凹部内に埋設されるケースホルダー及びケースホルダーに嵌合するローラーケース」は、本件訂正発明１の「戸板に堀込まれる取付溝に埋込み固定されるカップ部材と支軸を支持してカップ部材の内部に着脱されるホルダ部材」に相当する。 
　さらに、引用発明の「ロックレバーの中ほどにロックレバーの係止部が設けられるとともに、その先端には上下自在に配設された操作部が形成されている」は、本件訂正発明１の「可動片の中途部には係合部の他方が設けられるとともに自由端には指先を掛けることのできる操作部が形成されている」に相当する。 
　　 
　したがって、本件訂正発明１と引用発明は、 
「レールを走行するランナー部材と、戸板に固定される取付部材と、ランナー部材、取付部材を連結する支軸とが備えられ、取付部材が戸板に堀込まれる取付溝に埋込み固定されるカップ部材と支軸を支持してカップ部材の内部に着脱されるホルダ部材とから分割されてなる建具用ランナーにおいて、
　カップ部材とホルダ部材を係合ロツクするための係合溝と係合突起とからなる係合部の一方がカップ部材に設けられ、係合部の他方がホルダ部材の可動片に設けられ、ホルダ部材の可動片には弾性が付与されているとともに係合部の一方の手前には係合部の他方への案内面が設けられ、可動片の中途部には係合部の他方が設けられるとともに自由端には指先を掛けることのできる操作部が形成されている建具用ランナー。」
の点で一致し、以下の点で相違する。 
　 
［相違点］
　本件訂正発明１では、「可動片を含むホルダ部材の全体が合成樹脂材を素材として一体成形され」ているのに対して、引用発明では、可動片（ロックレバー）とホルダ部材（ローラーケース）は別体であり、それらの素材が不明な点。
 
（２）相違点についての判断 
　着脱自在な２つの部材を、一方の部材に設けられた係合溝と、他方の部材に設けられた可動片上の係合突起とによって係合ロックするような構成において、可動片を含む部材を合成樹脂材で一体成形することは、様々な技術分野において広く用いられている周知技術である。
　例えば、甲第２号には、吊り戸用ランナーの吊り棒４（本願訂正発明の「支軸」に相当）に取り付けられる係合体５に、吊り戸の上端に固定される固定枠２と係合する係合部１０を合成樹脂で一体成型し、係合部を薄肉の弾性部１１により可動とすることが記載されている（上記摘記事項（２−４）〜（２−５）参照）。
　この点について、被請求人は、「本件訂正発明１は、手前側に解除するために手前側の係合片を操作するものである。」旨主張しているが、たとえそうであったとしても、引用発明も同様に手前側に解除するために手前側の係合片を操作するものであり、そのようなものにおいて係合片を本体と一体に形成することも、特開平７−２７４３５２号公報（管係止爪１３参照）、特開平８−９６９０８号公報（モジュラープラグ２参照）、特開昭６２−１３１４８７号公報（プラグ１０のラッチ６４，６６参照）、特開平８−１５４７４２号公報（ラッチ機構２９参照）にみられるとおり、様々な技術分野において広く用いられている周知技術である。
　そして、建具用のランナー部材の素材として合成樹脂材を用いることも広く行われているから（甲第１、２号証参照）、引用発明の可動片（ロックレバー）とホルダ部材（ローラーケース）とを、いずれも合成樹脂部材とし、上記周知技術を適用して、可動片をホルダ部材と一体成型することは、当業者が容易になし得る事項である。　
　よって、本件訂正発明１は、引用発明及び周知技術に基づいて、当業者が容易に発明をすることができたものである。 
　 　 
　
第８．むすび 
　以上のとおり、本件訂正発明１は、引用発明及び周知技術に基づいて、当業者が容易に発明をすることができたものであるから、本件特許は、特許法第２９条第２項の規定に違反してなされたものであり、同法第１２３条第１項第２号に該当し、請求人が主張する他の無効理由について判断するまでもなく、無効とすべきものである。 
　　 
　審判に関する費用については、特許法第１６９条第２項の規定で準用する民事訴訟法第６１条の規定により、被請求人が負担すべきものとする。 
　　 
　よって、結論のとおり審決する。